(57)【要約】【課題】ケースブラケットと一緒に基板ケースを不正に取り外すことを防止することができる遊技機を提供する。【解決手段】ケースブラケット２５０、裏セット盤３０（遊技機本体）および取付ベース部材２６０の順に配置し、ケースブラケット２５０および裏セット盤３０に形成されたねじ挿入孔２５１，３６に挿入された取付ねじ２８０を取付ベース部材２６０のねじ穴２６１に螺合させることにより、ケースブラケット２５０が裏セット盤３０に取り付けられ、取付ベース部材２６０に装着された本体かしめ部材が、ケースブラケット２５０および裏セット盤３０に形成されたかしめ挿通孔２５２，３７を通って、ケースブラケット２５０に収容保持された基板ケースと係合することにより、前記基板ケースがケースブラケット２５０から取り外せないように固定保持される。【選択図】図６
2018046925.tif 000002
【特許請求の範囲】
【請求項１】
本体部材と、
遊技機に設けられた電気部品の作動を制御する制御基板と、
前記制御基板を収容する基板ケースと、
前記基板ケースを収容保持するブラケット部材と、
ねじ穴が設けられるとともにロック部材が装着される取付ベース部材とを備え、
前記ブラケット部材、前記本体部材および取付ベース部材の順に配置し、前記ブラケット部材および前記本体部材に形成されたねじ挿入孔に挿入された取付ねじを前記取付ベース部材の前記ねじ穴に螺合させることにより、前記ブラケット部材が前記本体部材に取り付けられ、
前記取付ベース部材に装着された前記ロック部材が、前記ブラケット部材および前記本体部材に形成されたロック部材挿通孔を通って、前記ブラケット部材に収容保持された前記基板ケースと係合することにより、前記基板ケースが前記ブラケット部材から取り外せないように固定保持された構成であることを特徴とする遊技機。
【発明の詳細な説明】
【技術分野】
【０００１】
本発明は、ぱちんこ遊技機やスロットマシン等の遊技機に関する。
【背景技術】
【０００２】
遊技機の一種であるぱちんこ遊技機は、遊技球を用いた遊技を行う遊技領域が設けられた遊技盤と、発射ハンドルの回動操作に応じて球皿に貯留された遊技球を遊技領域に打ち出す発射装置と、抽選結果に応じて遊技球を球皿に払い出す賞球払出ユニットと、ぱちんこ遊技機に搭載された種々の装置に電源を供給する電源供給ユニットと、これらのユニット（装置）を収容保持する枠部材（本体部材）とを備えて構成されている。また、ぱちんこ遊技機は、ぱちんこ遊技機の作動を統括的に制御する主制御基板と、遊技展開に応じた画像表示、効果照明、効果音等の演出全般の制御を行う演出制御基板とを備えており、これらの制御基板は、不正行為を防止するため、透明な基板ケース内に収容された状態で枠部材に設けられている（例えば、特許文献１を参照）。
【先行技術文献】
【特許文献】
【０００３】
【特許文献１】特開２００１‐２６９４７１号公報
【発明の概要】
【発明が解決しようとする課題】
【０００４】
このような遊技機では、遊技機の本体部材にブラケット部材を取り付け、そのブラケット部材に基板ケースが取り付けられているものがある。基板ケースは、ブラケット部材に対して一旦取り付けると、基板ケースの一部を破壊しなければブラケット部材から取り外すことができない封印状態で取り付けられている。しかしながら、ブラケット部材を本体部材に取り付けている取付ねじを取り外して、ブラケット部材と一緒に基板ケースを不正に取り外すという不正行為があり、このような不正行為を防止することができる基板ケースの取付構造が求められている。
【０００５】
本発明は、このような課題に鑑みなされたものであり、ブラケット部材と一緒に基板ケースを不正に取り外すことを防止することができる遊技機を提供することを目的とする。
【課題を解決するための手段】
【０００６】
このような目的達成のため、本発明に係る遊技機は、本体部材（例えば、実施形態における裏セット盤３０）と、遊技機に設けられた電気部品の作動を制御する制御基板（例えば、実施形態における主制御基板２１０）と、前記制御基板を収容する基板ケースと、前記基板ケースを収容保持するブラケット部材（例えば、実施形態におけるケースブラケット２５０）と、ねじ穴が設けられるとともにロック部材（例えば、実施形態における本体かしめ部材２７０）が装着される取付ベース部材とを備える。そして、前記ブラケット部材、前記本体部材および取付ベース部材の順に配置し、前記ブラケット部材および前記本体部材に形成されたねじ挿入孔に挿入された取付ねじを前記取付ベース部材の前記ねじ穴に螺合させることにより、前記ブラケット部材が前記本体部材に取り付けられ、前記取付ベース部材に装着された前記ロック部材が、前記ブラケット部材および前記本体部材に形成されたロック部材挿通孔（例えば、実施形態におけるかしめ挿通孔２５２，３７）を通って、前記ブラケット部材に収容保持された前記基板ケースと係合することにより、前記基板ケースが前記ブラケット部材から取り外せないように固定保持された構成である。
【発明の効果】
【０００７】
上記構成の本発明に係る遊技機によれば、ブラケット部材と一緒に基板ケースを不正に取り外すことを防止することができる。
【図面の簡単な説明】
【０００８】
【図１】本発明に係る遊技機の一例であるぱちんこ遊技機の正面図である。
【図２】上記ぱちんこ遊技機の背面図である。
【図３】上記ぱちんこ遊技機を構成する前枠の正面図である。
【図４】上記ぱちんこ遊技機を構成する遊技盤の正面図である。
【図５】上記ぱちんこ遊技機を構成する裏セット盤に取り付けられる基板ケースを示す背面斜視図である。
【図６】上記基板ケースの取付構造を示す分解斜視図である。
【図７】上記基板ケースの取り付け手順を説明する図であり、（ａ）はケースブラケットに基板ケースを取り付ける前の状態を示す斜視図、（ｂ）は基板ケースを取り付けた後の状態を示す斜視図である。
【図８】上記基板ケースをケースブラケットから取り外す手順を説明する図であり、（ａ）は基板ケースの一部を破壊した後の状態を示す斜視図、（ｂ）は基板ケースを取り外した後の状態を示す斜視図である。
【図９】上記基板ケースを取り外した後のケースブラケットおよび取付ベース部材を示す分解斜視図である。
【図１０】上記基板ケースの取り付け構造の変更態様を示す背面斜視図である。
【図１１】上記基板ケースの取り付け構造の変更態様を示す分解斜視図である。
【発明を実施するための形態】
【０００９】
以下、本発明の実施形態について図面を参照して説明する。まず、本発明に係る遊技機の一例であるぱちんこ遊技機の基本的な構成について、図１〜図３を参照して説明する。
【００１０】
［ぱちんこ遊技機の全体構成］
ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１１】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。ガラス扉５の背後に位置する前枠２の上部には、遊技盤１００を着脱可能に収容する方形枠状の収容枠２ａ（図３を参照）が設けられる。この収容枠２ａに所定のゲージ設定で構成された遊技盤１００が着脱可能にセット保持され、常には閉鎖保持されるガラス扉５を通して遊技盤１００の正面の遊技領域ＰＡを臨ませるようになっている。
【００１２】
ガラス扉５の前面上部には、発光ダイオード（ＬＥＤ）やランプ等の電飾装置８や、遊技の展開状態に応じて効果音を発生させるスピーカ９等が設けられている。球皿ユニット６は、遊技球を貯留可能な上下の球皿（上球皿６ａおよび下球皿６ｂ）を有して構成され、球皿ユニット６の前面右側には、遊技球の発射操作を行う発射ハンドル１０が設けられている。
【００１３】
前枠２の前面下部には、図３に示すように、球皿ユニット６の背後に位置して遊技盤１０と上下に整合し得る遊技補助盤２０が形成される。遊技補助盤２０の各部には、上球皿６ａに貯留された遊技球を遊技盤１００へ向けて連続的に打ち出すことが可能な発射機構
２１、上球皿６ａに繋がる賞球連絡通路２２、下球皿６ｂに繋がる溢れ球通路２３、遊技領域ＰＡに到達できずに戻ってくる遊技球（ファール球）を回収する遊技球回収機構２４等が設けられている。
【００１４】
前枠２の背面側には、図２に示すように、外枠１の内寸サイズよりも幾分小さめの矩形枠状に形成された裏セット盤３０が着脱可能に取り付けられている。裏セット盤３０は、遊技盤１００の背後に位置する上部領域に、前後連通して開口する大型の窓口開口３０ａを有する枠状に形成される。裏セット盤３０の各部には、多数個の遊技球を貯留する球貯留タンク３１、球貯留タンク３１の左側に繋がって延びるタンクレール３２、タンクレール３２により導かれた遊技球を払い出す賞球払出ユニット３３、賞球払出ユニット３３から払い出された遊技球を上球皿６ａに導くための賞球通路部材３４等が設けられている。
【００１５】
裏セット盤３０の背面側には、ぱちんこ遊技機ＰＭの作動を統括的に制御する主制御基板２１０等からなる主制御装置２００、遊技球の発射および払い出しに関する制御を行う払出制御基板等からなる払出制御装置４００、および遊技施設側から受電して各種制御装置や電気・電子部品に電力を供給する電源供給ユニット５００が取り付けられている。遊技盤１００の背面側には、遊技展開に応じた画像表示、効果照明、効果音等の演出全般の制御を行う演出制御基板等からなる副制御装置３００が取り付けられている。これらの制御装置とぱちんこ遊技機ＰＭ各部の電気・電子部品とがワイヤーハーネスにより接続されて、ぱちんこ遊技機ＰＭが作動可能に構成されている。
【００１６】
ぱちんこ遊技機ＰＭは、外枠１が遊技施設の遊技島（設置枠台）に固定設置され、前枠２、ガラス扉５、球皿ユニット６等が閉鎖施錠された状態で遊技に供され、球皿ユニット６の上球皿６ａに遊技球を貯留させて発射ハンドル１０を回動操作することにより遊技が開始される。発射ハンドル１０が回動操作されると、上球皿６ａに貯留された遊技球が、球皿ユニット６の背面側に配設される球送り機構によって１球ずつ連続的に発射機構２１に送り出され、発射機構２１のハンマー２１ａにより遊技領域ＰＡに打ち出されてパチンコゲームが展開される。
【００１７】
［遊技盤の構成］
遊技盤１００は、図４に示すように、透明の樹脂材料やベニヤ板を用いて形成される板状のベース部材１０１と、ベース部材１０１の前面側に取り付けられた左右の内レール部材１０６，１０７および外レール部材（図示せず）とを有し、ベース部材１０１における左右の内レール部材１０６，１０７と外レール部材とに囲まれた部分に遊技領域ＰＡが形成される。なお、図４において、遊技領域ＰＡの上方を囲む外レール部材の図示を省略している。
【００１８】
遊技領域ＰＡには、多数の遊技釘（図示せず）とともに、遊技領域ＰＡの中央部近傍に配置されたセンター飾り１２０と、遊技領域ＰＡの下部に配置された複数の一般入賞装置１１３，１１３，…と、センター飾り１２０の下方に配置された第１始動入賞装置１１４と、第１始動入賞装置１１４の右斜め上方に配置された第２始動入賞装置１３０と、第１始動入賞装置１１４の右方における右側内レール部材１０７の近傍に配置された大入賞装置１４０と、大入賞装置１４０の上方に配置された補助遊技始動ゲート１１７と、遊技領域ＰＡの下端に配置されたアウト口１１８とが設けられている。
【００１９】
センター飾り１２０は、樹脂材料を用いて、所定の装飾模様が形成された枠状に形成される。センター飾り１２０の上部には、上下方向に移動可能な可動式装飾部材１２１が配設される。センター飾り１２０の左下部には、右斜め下方に延びるワープ通路１２２が形成されており、このワープ通路１２２により遊技領域ＰＡを流下する遊技球をセンター飾り１２０の下部に形成されたステージ部１２３に導くことができるようになっている。ス
テージ部１２３は、左右に延びるとともに前方に傾斜するように形成されており、ワープ通路１２２を通ってステージ部１２３に達した遊技球が左右に転動したのち、前方に落下するように構成されている。ステージ部１２３の中央には、ステージ部１２３の中央部に達した一部の遊技球を第１始動入賞装置１１４の第１始動入賞口１１４ａに導くガイド穴１２４が形成されている。
【００２０】
ベース部材１０１の後面側には演出表示装置１２５が取り付けられ、センター飾り１２０の開口部分を通して演出表示装置１２５の画面を前方から視認可能に構成されている。演出表示装置１２５は、中央に配置される第１液晶パネル１２６と、第１液晶パネル１２６の前方に配置される左右の第２液晶パネル１２７Ｌ，１２７Ｒとを有して構成される。左右の第２液晶パネル１２７Ｌ，１２７Ｒは、第１液晶パネル１２６よりも左右方向に小さく縦長に形成され、不図示の液晶パネル駆動機構により第１液晶パネル１２６の前方において左右方向に移動可能に構成される。センター飾り１２０の右側部と右側内レール部材１０７との間に、遊技領域ＰＡの右上方に達した遊技球を大入賞装置１４０の上方に導く右流路１２９が形成されている。
【００２１】
一般入賞装置１１３は、遊技球が流入可能な一般入賞口１１３ａを有し、一般入賞口１１３ａから流入した遊技球をベース部材１０１の後面側に排出させるように構成される。一般入賞装置１１３には、一般入賞口１１３ａから流入した遊技球を検出する一般入賞センサが設けられており、一般入賞センサの検出信号は主制御装置２００に送信される。第１始動入賞装置１１４は、遊技球が流入可能な第１始動入賞口１１４ａを有し、第１始動入賞口１１４ａから流入した遊技球をベース部材１０１の後面側に排出させるように構成される。第１始動入賞装置１１４には、第１始動入賞口１１４ａから流入した遊技球を検出する第１始動入賞センサが設けられており、第１始動入賞センサの検出信号は主制御装置２００に送信される。補助遊技始動ゲート１１７は、補助遊技始動ゲート１１７の開口部から流入した遊技球を補助遊技始動ゲート１１７の下方へ通過させるように構成される。補助遊技始動ゲート１１７には、補助遊技始動ゲート１１７を通過した遊技球を検出するゲートセンサが設けられており、ゲートセンサの検出信号は主制御装置２００に送信される。
【００２２】
第２始動入賞装置１３０は、遊技球が流入可能な第２始動入賞口１３１ａと、第２始動入賞口１３１ａを開閉可能な始動入賞口開閉部材１３２とを有し、第２始動入賞口１３１ａから流入した遊技球をベース部材１０１の後面側に排出させるように構成される。始動入賞口開閉部材１３２は、羽根状に形成され、不図示の揺動駆動機構により上方に向いた状態と右方に向いた状態との間で揺動可能に構成される。始動入賞口開閉部材１３２は、所定の遊技状態のときに、右方に揺動して第２始動入賞口１３１ａを開放させ、上方から流下してくる遊技球を受け止めて第２始動入賞口１３１ａに導いて入球させる。一方、通常時においては、始動入賞口開閉部材１３２が上方に揺動して第２始動入賞口１３１ａを閉鎖させ、遊技球を第２始動入賞口１３１ａに流入させないように構成されている。第２始動入賞装置１３０には、第２始動入賞口１３１ａから流入した遊技球を検出する第２始動入賞センサが設けられており、第２始動入賞センサの検出信号は主制御装置２００に送信される。
【００２３】
大入賞装置１４０は、上方に開口して遊技球が流入可能な大入賞口１４１ａと、大入賞口１４１ａを開閉可能な大入賞口開閉部材１４２とを有し、大入賞口１４１ａから落入した遊技球をベース部材１０１の後面側に排出させるように構成される。大入賞口開閉部材１４２は、左右方向に延びる平板状に形成され、不図示の開閉駆動機構により前後方向（遊技盤１００の盤面に直交する方向）にスライド移動可能に構成される。大入賞口開閉部材１４２は、所定の遊技状態のときに、後方にスライド移動して大入賞口１４１ａを開放させ、上方から流下してくる遊技球を大入賞口１４１ａに流入可能な状態にする。一方、
通常時においては、大入賞口開閉部材１４２が前方にスライド移動して大入賞口１４１ａを閉鎖させ、遊技球を大入賞口１４１ａに流入させないように構成されている。大入賞装置１４０には、大入賞口１４１ａから流入した遊技球を検出する大入賞センサが設けられており、大入賞センサの検出信号は主制御装置２００に送信される。
【００２４】
＜主制御装置の構成＞
次に、本実施形態に係る主制御装置２００の構成について図２および図５〜図９を参照して説明する。なお、以下の説明では、図５において各矢印で示す方向をそれぞれ、上下方向、前後方向、左右方向として説明する。
【００２５】
主制御装置２００は、主制御基板２１０と、この主制御基板２１０を内部に収容保持する基板ケース２２０とを有して構成されている。主制御基板２１０は、遊技に関する各種の演算処理を行うＣＰＵと、制御プログラム等を記憶した読出し専用の記憶装置であるＲＯＭと、情報の書込みおよび読出しが可能な記憶装置であるＲＡＭと、複数の電気コネクタと、これらが実装されるプリント基板とを有して構成される。主制御基板２１０は、ＲＯＭに記憶された制御プログラムに従って各駆動回路等が動作することにより、ぱちんこ遊技機ＰＭにおける遊技の進行に係る制御を行うように構成されている。
【００２６】
基板ケース２２０は、略矩形平板状のボトムケース２２１と、前方に開口した略矩形容器状のトップケース２３１とを有し、ボトムケース２２１およびトップケース２３１を結合させて形成されるケース内部に主制御基板２１０を収容可能に構成されている。基板ケース２２０は、従来知られている基板ケースと同様に、ボトムケース２２１に対してトップケース２３１を左右方向にスライド移動させることによりボトムケース２２１およびトップケース２３１が結合される。そして、基板ケース２２０に装着されたケースかしめ部材２２５がボトムケース２２１およびトップケース２３１と係合することにより、ボトムケース２２１に対するトップケース２３１の取り外し方向へのスライド移動が規制され、基板ケース２２０の一部を破壊してケースかしめ部材２２５を取り出さない限り基板ケース２２０を開放することができないように構成されている。ボトムケース２２１およびトップケース２３１は、透明な樹脂材料を用いて形成され、ケース内部に収容した主制御基板２１０を外方から視認可能に構成されている。基板ケース２２０の後面側には、本体かしめ部材２７０が挿入されるケース側かしめ挿入部２２６が形成されている（図７を参照）。
【００２７】
主制御基板２１０を収容保持した基板ケース２２０は、図５に示すように、ケースブラケット２５０を介して裏セット盤３０（枠部材）の下部に取り付けられる。ケースブラケット２５０は、図６に示すように、矩形板状の基壁２５０ａと、基壁２５０ａの上下端からそれぞれ後方に立設された上壁２５０ｂおよび下壁２５０ｃと、基壁２５０ａの左右端からそれぞれ後方に立設された左壁２５０ｄおよび右壁２５０ｅとを有し、全体として後方に開放された矩形容器状に形成され、その内部空間に基板ケース２２０が装着されて基板ケース２２０を収容保持するように構成されている。基壁２５０ａには、複数のねじ挿入孔２５１が前後に貫通して形成されている（本実施形態では、４個のねじ挿入孔２５１を形成した例を示している）。また、基壁２５０ａの左部には、矩形状のかしめ挿通孔２５２が前後に貫通して形成されている。
【００２８】
裏セット盤３０には、ケースブラケット２５０のねじ挿入孔２５１に対応する位置および個数のねじ挿入孔３６が前後に貫通して形成されている。また、裏セット盤３０には、ケースブラケット２５０のかしめ挿通孔２５２に対応する位置に、かしめ挿通孔３７が前後に貫通して形成されている。裏セット盤３０の前方側には、矩形板状の取付ベース部材２６０が設けられている。取付ベース部材２６０には、ケースブラケット２５０のねじ挿入孔２５１に対応する位置および個数のねじ穴２６１が配設されている。取付ベース部材
２６０の左部には、本体かしめ部材２７０が挿入されるベース側かしめ挿入部２６２が設けられている。
【００２９】
このように構成される基板ケース２２０を裏セット盤３０の後面側に取り付けるには、まず、図６に示すように、裏セット盤３０の後方にケースブラケット２５０を配置するとともに、裏セット盤３０の前方に取付ベース部材２６０を配置する。そして、ケースブラケット２５０の４個のねじ挿入孔２５０にそれぞれ取付ねじ２８０を後方から挿入し、それらの取付ねじ２８０を、裏セット盤３０のねじ挿入孔３６を通過させて取付ベース部材２６０のねじ穴２６１に螺合させることにより、裏セット盤３０を間に挟んだ状態でケースブラケット２５０および取付ベース部材２６０が固定される。
【００３０】
次に、図７に示すように、ケースブラケット２５０および裏セット盤３０に形成されたかしめ挿通孔２５２，３７を通して後方から本体かしめ部材２７０を取付ベース部材２６０のベース側かしめ挿入部２６２に挿入して装着する。そして、主制御基板２１０を収容した基板ケース２２０をケースブラケット２５０内に後方から挿入する。このとき、取付ベース部材２６０のベース側かしめ挿入部２６２に装着された本体かしめ部材２７０が、基板ケース２２０のケース側かしめ挿入部２２６に挿入される。この本体かしめ部材２７０が基板ケース２２０および取付ベース部材２６０と係合することにより、ケースブラケット２５０に対する基板ケース２２０の後方（取り外し方向）への移動が規制された状態で基板ケース２２０が取り付けられる。
【００３１】
このように基板ケース１２０が取り付けられると、基板ケース２２０等を破壊しない限り、本体かしめ部材２７０にアクセスすることができないため、基板ケース２２０を容易に取り外すことができないようになっている。基板ケース２２０を取り外すためには、図８（ａ）に示すように、基板ケース２２０のケース側かしめ挿入部２２６近傍の部分（図８（ａ）におけるＡの部分）をトップケース２３１側から破壊（切断）して、本体かしめ部材２７０と基板ケース２２０との係合状態を解除する。このようにすれば、ケースブラケット２５０に対する基板ケース２２０の後方（取り外し方向）への移動の規制が解除され、基板ケース２２０を後方へ移動させてケースブラケット２５０から取り外すことができる。
【００３２】
このように基板ケース２２０をケースブラケット２５０から取り外した場合には、図８（ｂ）に示すように、基板ケース２２０に明確な破壊痕跡が残り、本体かしめ部材２７０が取付ベース部材２６０のベース側かしめ挿入部２６２に装着されたままの状態となるようになっている。しかしながら、図９に示すように、裏セット盤３０およびケースブラケット２５０には破壊痕跡等は残らないようになっている。そのため、新らたな主制御基板２１０を収容保持した基板ケース２２０を取り付ける場合には、裏セット盤３０およびケースブラケット２５０は交換することなく再利用することができ、取付ベース部材２６０および本体かしめ部材２７０を新たなものに交換するだけでよい。
【００３３】
次に、上記実施形態の変更態様について説明する。この変更態様では、図１０および図１１に示すように、取付ベース部材２６０′が遊技盤１００の後面に取り付けられるようになっている。なお、上記実施形態と同様の構成には、同じ符番を付してその説明は省略する。取付ベース部材２６０′は、上記取付ベース部材２６０と同様に、複数のねじ穴２６１およびベース側かしめ挿入部２６２を有して構成される。取付ベース部材２６０′の左右端部はそれぞれ、前方に折り曲げて形成され、その先端部が複数のベース取付ねじ２６５を用いて遊技盤１００の後面に固定されている。なお、ベース取付ねじ２６５を用いるのではなく、接着剤等を用いて取付ベース部材２６０′を遊技盤１００に固定するようにしてもよい。このように取付ベース部材２６０′が遊技盤１００に固定されているため、ケースブラケット２５０と一緒に基板ケース２２０を不正に取り外す行為をより一層防
止することができる。
【００３４】
上述の実施形態では、本発明が適用される遊技機の一例として、ぱちんこ遊技機を例示して説明したが、これに限定されるものではなく、例えば、遊技メダルを使用するスロットマシン（回胴式遊技機）、遊技球を使用する回胴式遊技機、雀球遊技機、アレンジボール機などの他の遊技機についても同様に適用し、同様の効果を得ることができる。
【符号の説明】
【００３５】
ＰＭ  ぱちんこ遊技機（遊技機）
３０  裏セット盤（本体部材）
３６  ねじ挿入孔
３７  かしめ挿通孔（ロック部材挿通孔）
１００  遊技盤
２００  主制御装置
２１０  主制御基板（制御基板）
２２０  基板ケース
２５０  ケースブラケット（ブラケット部材）
２５１  ねじ挿入孔
２５２  かしめ挿通孔（ロック部材挿通孔）
２６０  取付ベース部材
２６１  ねじ穴
２７０  本体かしめ部材（ロック部材）
２８０  取付ねじ
【図１】
2018046925.tif 000003
【図２】
2018046925.tif 000004
【図３】
2018046925.tif 000005
【図４】
2018046925.tif 000006
【図５】
2018046925.tif 000007
【図６】
2018046925.tif 000008
【図７】
2018046925.tif 000009
【図８】
2018046925.tif 000010
【図９】
2018046925.tif 000011
【図１０】
2018046925.tif 000012
【図１１】
2018046925.tif 000013